(57)【要約】【課題】防犯性に優れ、アンカーボルトの錆びを抑制でき、設置面への固定強度を高めた保管庫の脚構造および保管庫の固定方法を提供する。【解決手段】保管庫１を設置面５に固定するための脚構造であって、保管庫１の床板６に上下方向に貫通形成された作業孔７と、作業孔７の位置に合わせて床板６の下面に取り付けられたパイプ状の脚４と、脚４にその下部の開口を覆って取り付けられた底板８と、底板８に貫通形成されたアンカーボルト用孔９と、アンカーボルト用孔９に保管庫１内から作業孔７を通じて差し込まれて設置面５に固定されるアンカーボルト１０と、アンカーボルト１０に保管庫１内から作業孔７を通じてネジ込まれる固定ナット１１と、を備えている。【選択図】図６
2019203266.tif 000002
【特許請求の範囲】
【請求項１】
保管庫を設置面に固定するための脚構造であって、
保管庫の床板に上下方向に貫通形成された作業孔と、
該作業孔の位置に合わせて前記床板の下面に取り付けられたパイプ状の脚と、
該脚にその下部の開口を覆って取り付けられた底板と、
該底板に貫通形成されたアンカーボルト用孔と、
該アンカーボルト用孔に前記保管庫内から前記作業孔を通じて差し込まれて前記設置面に固定されるアンカーボルトと、
該アンカーボルトに前記保管庫内から前記作業孔を通じてネジ込まれる固定ナットと、を備えたことを特徴とする保管庫の脚構造。
【請求項２】
前記脚の底板に貫通形成された高さ調節ボルト用孔と、
該高さ調節ボルト用孔の位置に合わせて前記底板の上面に取り付けられたナットと、
該ナットに前記保管庫内から前記作業孔を通じてネジ込まれその先端が前記設置面に押し付けられる高さ調節ボルトと、を備えたことを特徴とする請求項１記載の保管庫の脚構造。
【請求項３】
前記高さ調節ボルトの先端が前記設置面に押し付けられて生じた前記脚の底板と前記設置面との間に挿入されるシム板を備えた、ことを特徴とする請求項２に記載の保管庫の脚構造。
【請求項４】
保管庫の床板に上下方向に貫通形成された作業孔と、
該作業孔の位置に合わせて前記床板の下面に取り付けられたパイプ状の脚と、
該脚にその下部の開口を覆って取り付けられた底板と、
該底板に貫通形成されたアンカーボルト用孔と、を備えた保管庫を設置面に固定する方法であって、
前記設置面に、前記保管庫の脚を載置した後、
該脚の底板のアンカーボルト用孔に、アンカーボルトを前記保管庫内から前記作業孔を通じて差し込んで前記設置面に固定し、
前記アンカーボルト用孔から突出した前記アンカーボルトに、固定ナットを前記保管庫内から前記作業孔を通じてネジ込んで固定する、ことを特徴とする保管庫の固定方法。
【請求項５】
保管庫の床板に上下方向に貫通形成された作業孔と、
該作業孔の位置に合わせて前記床板の下面に取り付けられたパイプ状の脚と、
該脚にその下部の開口を覆って取り付けられた底板と、
該底板に貫通形成されたアンカーボルト用孔と、
前記脚の底板に貫通形成された高さ調節ボルト用孔と、
該高さ調節ボルト用孔の位置に合わせて前記底板の上面に取り付けられたナットと、を備えた保管庫を設置面に固定する方法であって、
前記設置面に、前記保管庫の脚を載置した後、
該脚の底板のナットに、高さ調節ボルトを前記保管庫内から前記作業孔を通じてネジ込んで、前記高さ調節用ボルトの先端を前記設置面に押し付けて前記床板の水平調整を行い、
前記脚の底板のアンカーボルト用孔に、アンカーボルトを前記保管庫内から前記作業孔を通じて差し込んで前記設置面に固定し、
前記アンカーボルト用孔から突出した前記アンカーボルトに、固定ナットを前記保管庫内から前記作業孔を通じてネジ込んで固定する、ことを特徴とする保管庫の固定方法。
【請求項６】
前記脚の底板のナットに、前記高さ調節ボルトを前記保管庫内から前記作業孔を通じてネジ込み、前記高さ調節用ボルトの先端を前記保管庫の設置面に押し付けて前記床板の水平調整を行った後、前記脚の底板と前記設置面との間に生じた隙間にシム板を挿入するようにした、ことを特徴とする請求項５に記載の保管庫の固定方法。
【発明の詳細な説明】
【技術分野】
【０００１】
本発明は、防犯性に優れ、アンカーボルトの錆びを抑制でき、設置面への固定強度を高められる保管庫の脚構造および保管庫の固定方法に関する。
【背景技術】
【０００２】
保管庫の一種として、一般的な物置の設置構造を、図１（ａ）および図１（ｂ）に示す。図１（ａ）に示すように、通常、物置ａは、設置面ｂにコンクリートブロックｃを介して載置される。設置面ｂがコンクリート基礎の場合、図１（ｂ）に示すように、物置ａは、断面Ｌ字形のアンカープレートｄによって、設置面ｂに固定される。詳しくは、アンカープレートｄの上部の長孔ｅにボルトｆが挿通されて物置ａにネジ止めされ、アンカープレートｄの下部の孔ｇにアンカーボルトｈが挿通されて設置面ｂに固定される。
【０００３】
一方、自動二輪車、自転車等を保管する保管庫として、特開２００５−９０１６６号公報（特許文献１）に記載されたものが知られている。この保管庫の脚構造を図２に示す。図２に示すように、保管庫の床板ｉには、ボルト孔ｊが貫通形成されており、ボルト孔ｊには、設置面（コンクリート基礎）ｋに固定されたアンカーボルトｌが挿通され、アンカーボルトｌには、床板ｉを挟むように上部ナットｍと下部ナットｎとが螺合されている。これにより、床板（保管庫）ｉの設置面ｋへの固定と、床板ｉの水平調整とを行うことができる。
【先行技術文献】
【特許文献】
【０００４】
【特許文献１】特開２００５−９０１６６号公報
【発明の概要】
【発明が解決しようとする課題】
【０００５】
ところで、図１（ｂ）に示す従来の物置ａのアンカー構造であると、物置ａを設置面ｂに固定するアンカープレートｄが物置ａの外部に露出しているため、外部からアンカープレートｄを切断して、物置ａを設置面ｂから容易に分離できる。このため、物置ａの収容物が物置ａごと盗まれる等、防犯（セキュリティー）上の問題が生じる。
【０００６】
一方、図２に示す特許文献１に記載の保管庫の脚構造においても、矢張り、保管庫の床板ｉを設置面ｋに固定するアンカーボルトｌが保管庫の床板ｉと設置面ｋとの間に露出しているため、床板ｉと設置面ｋとの隙間からアンカーボルトｌを切断できる。このため、保管庫の収容物（自動二輪車等）が保管庫ごと盗まれる可能性がある。
【０００７】
また、アンカーボルトｌが、外部に露出しているため、風雨に晒されて錆び、経年劣化が避けられない。錆びたアンカーボルトｌは、強風時、保管庫が受ける風力によって破断する可能性が考えられ、耐久性・耐候性が問題となる。
【０００８】
また、保管庫およびその内部の保管物（自動二輪車等）の重量がアンカーボルトｌに加わり、地震時の横揺れがアンカーボルトｌに剪断力や曲げ応力として加わるため、アンカーボルトｌが破断する可能性があり、保管庫の設置面への固定強度が問題となる。
【０００９】
また、アンカーボルトｌの頂部および上部ナットｍが保管庫の床板ｉの上面から突出するため、保管庫に収容される保管物（自動二輪車等）を傷付けたり、保管庫内に入る作業員が躓く可能性がある。加えて、保管庫内における保管物のための有効床面積が減少し、見栄えも悪化する。
【００１０】
以上の事情を考慮して創案された本発明の目的は、外部からアンカーボルトが切断される事態を回避でき、アンカーボルトを風雨から防護でき、地震時の横揺れによってアンカーボルトに加わる剪断力や曲げ応力を軽減でき、アンカーボルトが保管庫の床板の上面から突出しない保管庫の脚構造および保管庫の固定方法を提供することにある。
【課題を解決するための手段】
【００１１】
上述した目的を達成すべく創案された本発明に係る保管庫の脚構造によれば、保管庫を設置面に固定するための脚構造であって、保管庫の床板に上下方向に貫通形成された作業孔と、作業孔の位置に合わせて床板の下面に取り付けられたパイプ状の脚と、脚にその下部の開口を覆って取り付けられた底板と、底板に貫通形成されたアンカーボルト用孔と、アンカーボルト用孔に保管庫内から作業孔を通じて差し込まれて設置面に固定されるアンカーボルトと、アンカーボルトに保管庫内から作業孔を通じてネジ込まれる固定ナットと、を備えたことを特徴とする保管庫の脚構造が提供される。
【００１２】
本発明に係る保管庫の脚構造においては、脚の底板に貫通形成された高さ調節ボルト用孔と、高さ調節ボルト用孔の位置に合わせて底板の上面に取り付けられたナットと、ナットに保管庫内から作業孔を通じてネジ込まれその先端が設置面に押し付けられる高さ調節ボルトと、を備えていてもよい。
【００１３】
本発明に係る保管庫の脚構造においては、高さ調節ボルトの先端が設置面に押し付けられて生じた脚の底板と設置面との間に挿入されるシム板を備えていてもよい。
【００１４】
また、本発明に係る保管庫の固定方法によれば、保管庫の床板に上下方向に貫通形成された作業孔と、作業孔の位置に合わせて床板の下面に取り付けられたパイプ状の脚と、脚にその下部の開口を覆って取り付けられた底板と、底板に貫通形成されたアンカーボルト用孔と、を備えた保管庫を設置面に固定する方法であって、設置面に、保管庫の脚を載置した後、脚の底板のアンカーボルト用孔に、アンカーボルトを保管庫内から作業孔を通じて差し込んで設置面に固定し、アンカーボルト用孔から突出したアンカーボルトに、固定ナットを保管庫内から作業孔を通じてネジ込んで固定する、ことを特徴とする保管庫の固定方法が提供される。
【００１５】
本発明に係る保管庫の固定方法においては、保管庫の床板に上下方向に貫通形成された作業孔と、作業孔の位置に合わせて床板の下面に取り付けられたパイプ状の脚と、脚にその下部の開口を覆って取り付けられた底板と、底板に貫通形成されたアンカーボルト用孔と、脚の底板に貫通形成された高さ調節ボルト用孔と、高さ調節ボルト用孔の位置に合わせて底板の上面に取り付けられたナットと、を備えた保管庫を設置面に固定する方法であって、設置面に、保管庫の脚を載置した後、脚の底板のナットに、高さ調節ボルトを保管庫内から作業孔を通じてネジ込んで、高さ調節用ボルトの先端を設置面に押し付けて床板の水平調整を行い、脚の底板のアンカーボルト用孔に、アンカーボルトを保管庫内から作業孔を通じて差し込んで設置面に固定し、アンカーボルト用孔から突出したアンカーボルトに、固定ナットを保管庫内から作業孔を通じてネジ込んで固定する、ことを特徴とする保管庫の固定方法が提供される。
【００１６】
本発明に係る保管庫の固定方法においては、脚の底板のナットに、高さ調節ボルトを保管庫内から作業孔を通じてネジ込み、高さ調節用ボルトの先端を保管庫の設置面に押し付けて床板の水平調整を行った後、脚の底板と設置面との間に生じた隙間にシム板を挿入するようにしてもよい。
【発明の効果】
【００１７】
本発明によれば、次のような効果を発揮できる。
（１）保管庫の床板に形成された作業孔の位置に合わせて床板の下面にパイプ状の脚が取り付けられ、脚の下部の開口に底板が取り付けられ、底板にアンカーボルト用孔が形成され、アンカーボルト用孔にアンカーボルトが保管庫内から作業孔を通じて差し込まれて設置面に固定され、アンカーボルトに固定ナットが保管庫内から作業孔を通じてネジ込まれるので、アンカーボルトおよび固定ナットがパイプ状の脚および脚の底板によって囲まれ、保管庫の外部からアクセスできない状態となる。
（２）このため、保管庫を設置面に固定するアンカーボルトを、保管庫の外部から切断することはできず、且つ、アンカーボルトにネジ込まれた固定ナットを、保管庫の外部から緩めることはできない。すなわち、外部から、保管庫を設置面から切り離すことはできない。よって、保管庫の収容物が保管庫ごと盗まれる事態を回避でき、防犯性（セキュリティ性）が向上する。
（３）アンカーボルトおよび固定ナットが、パイプ状の脚および脚の底板によって覆われた状態となるため、風雨から防護される。よって、アンカーボルトおよび固定ナットの腐食による劣化を回避でき、耐久性および耐候性が向上する。
（４）アンカーボルトに固定ナットをネジ込むことで、脚の底板が設置面に押し付けられた状態となるため、地震時の横方向（水平方向）の揺れ力を脚の底板と設置面との摩擦力で受けることができる。よって、地震時の横揺れによってアンカーボルトに加わる剪断力や曲げ応力を軽減でき、アンカーボルトの破断を回避でき、保管庫の設置面に対する設置強度を向上できる。
（５）アンカーボルトおよび固定ナットが、保管庫の床板の下面に取り付けられたパイプ状の脚の内部に収容された状態となるので、床板の上面から突出することはなく、保管物を傷付けたり、保管庫内に入る作業員が躓く可能性を回避できる。また、保管庫内の実質的な有効床面積がアンカーボルトや固定ナットによって減少することは無く、見栄えも向上する。
（６）アンカーボルトおよび固定ナットを収容するパイプ状の脚が、床板に形成された作業孔の位置に合わせて床板の下面に取り付けられているので、アンカーボルトを設置面に固定する作業、およびアンカーボルトに固定ナットをネジ込む作業を、床板に形成された作業孔を通じて保管庫の内部からのみで行うことができる。よって、保管庫の外部からの作業を併せて行う必要がある場合（図２の従来例のナットｍ、ｎ参照）と比べると、保管庫の設置作業を効率化でき、設置時間を短縮化できる。
【図面の簡単な説明】
【００１８】
【図１】従来例を示す物置の設置状態を示す説明図であり、図１（ａ）は設置された物置の斜視図、図１（ｂ）は物置の固定構造を示す図１（ａ）の部分拡大図である。
【図２】別の従来例を示す保管庫の脚構造を示す断面図である。
【図３】本発明の一実施形態を示す保管庫を下方から見上げた説明図である。
【図４】本実施形態に係る保管庫の脚構造を示す部分破断斜視図である。
【図５】本実施形態に係る保管庫の固定方法を示す工程図であり、図５（ａ）は第１工程図、図５（ｂ）は第２工程図、図５（ｃ）は第３工程図を示す。
【図６】保管庫の固定方法の続きを示す工程図であり、図６（ｄ）は第４工程図、図６（ｅ）は第５工程図を示す。
【発明を実施するための形態】
【００１９】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２０】
（保管庫１）
図３に、本発明の一実施形態に係る脚構造を備えた保管庫１を示す。この保管庫１は、外観が略直方体形状を呈し、左側の扉２を開いて自動二輪車や自転車等を収容するものである。この保管庫１は、両側面、扉側面２および反扉側面に透明ガラス３が嵌め込まれており、内部が見えるようになっていて、内部に収容された自動二輪車等のショーケースを兼ねている。保管庫１の底面（床板６の下面）の四隅には、保管庫１を設置面に設置する際、保管庫１および内部に収容された自動二輪車等の重量を支持する脚４が設けられている。
【００２１】
（保管庫１の脚構造の概要）
図４、図５（ａ）に示すように、本実施形態に係る保管庫１の脚構造は、保管庫１を設置面５に固定するための脚構造であって、保管庫１の床板６に上下方向に貫通形成された作業孔７と、作業孔７の位置に合わせて床板６の下面に取り付けられたパイプ状の脚４と、脚４にその下部の開口を覆って取り付けられた底板８と、底板８に貫通形成されたアンカーボルト用孔９とを備えている。また、この保管庫１の脚構造は、図６（ｄ）、図６（ｅ）に示すように、アンカーボルト用孔９に保管庫１内から作業孔７を通じて差し込まれて設置面５に固定されるアンカーボルト１０と、アンカーボルト１０に保管庫１内から作業孔７を通じてネジ込まれる固定ナット１１と、を備えている。
【００２２】
また、本実施形態に係る保管庫の脚構造においては、図４、図５（ａ）に示すように、脚４の底板８に貫通形成された高さ調節ボルト用孔１２と、高さ調節ボルト用孔１２の位置に合わせて底板８の上面に取り付けられたナット１３と、図５（ｂ）に示すように、ナット１３に保管庫１内から作業孔７を通じてネジ込まれその先端が設置面５に押し付けられる高さ調節ボルト１４とを備えており、また、図５（ｂ）、図５（ｃ）に示すように、高さ調節ボルト１４の先端が設置面５に押し付けられて生じた脚４の底板８と設置面５との間に挿入されるシム板１５を備えている。
【００２３】
これら高さ調節ボルト用孔１２、ナット１３、高さ調節ボルト１４、シム板１５は、設置面５の傾斜に応じて保管庫１の床板６の水平調整を行うために設けられている。すなわち、保管庫１が設置される設置面５がコンクリート基礎等の場合、設置面５には雨水等の排水のため傾斜（スロープ）が形成されている。このため、保管庫１を設置面５に単に載置したのみでは、保管庫１の水平が保てない。上述した高さ調節ボルト用孔１２、ナット１３、高さ調節ボルト１４、シム板１５によって、後述するように、設置面５の傾斜方向に対する保管庫１の設置向きに拘わらず、保管庫１の水平を確保できる。なお、保管庫１を室内に設置する場合等、設置面５の水平精度が高く、床板６の水平調整が不要な場合、高さ調節ボルト用孔１２、ナット１３、高さ調節ボルト１４、シム板１５は、省略できる。
【００２４】
以下、脚構造の各構成要素について説明し、併せて、保管庫１の設置方法について述べる。
【００２５】
（作業孔７）
図３に示すように、保管庫１の床板６は、略長方形状に形成されている。なお、床板６の下面には、実際には、角パイプを格子状に組んだ補強材が溶接等によって取り付けられているが、本発明とは直接関係ないため図示省略する。図４、図５（ａ）に示すように、床板６は、鋼製のベース板６ａとその上に敷設されたステンレス製の化粧板６ｂとから構成されている。ベース板６ａと化粧板６ｂとは、例えばタッピングスクリューのような固定手段によって固定されている。なお、床板６は、二重構造に限られず、一重構造でもよい。
【００２６】
図４に示すように、略長方形状の床板６の四隅には、脚４が取り付けられる位置に合わせて、作業孔７が上下方向に貫通して形成されている。作業孔７は、ベース板６ａに形成された作業孔７ａと、化粧板６ｂに形成された作業孔７ｂとからなる。図５（ａ）に示すように、ベース板６ａの作業孔７ａは化粧板６ｂの作業孔７ｂより一回り小さく、化粧板６ｂの作業孔７ｂを打ち抜いて或いは化粧板６ｂに作業孔７ｂをレーザー加工することによって得られた蓋板１６が、化粧板６ｂの作業孔７ｂ内に嵌め込まれ、ベース板６ａに載置されるようになっている。なお、蓋板１６は、別途製作してもよい。また、作業孔７（７ａ、７ｂ）の形状は、図４に示すように、陸上トラック型に限られず、楕円、円、長方形でも構わない。
【００２７】
（脚４）
図４、図５（ａ）に示すように、床板６（ベース板６ａ）の下面には、作業孔７（作業孔７ａ）の位置に合わせて、作業孔７を内包するように形成されたパイプ状の脚４が取り付けられている。脚４と床板６とは、溶接やロウ付け等によって接合され、接合部にシリコン等のコーキング材が塗布充填され、止水性が保たれている。なお、全周を溶接等することで止水性が確保できれば、コーキング材は不要である。脚４の形状は、図４に示すように、断面長方形の角パイプに限られず、断面楕円、円、陸上トラック型のパイプでも構わない。
【００２８】
（底板８）
図４、図５（ａ）に示すように、脚４の下部の開口には、底板８が取り付けられている。脚４と底板８とは、溶接等によって接合され、接合部にシリコン等のコーキング材が充填され、止水性が保たれている。なお、全周を溶接等することで止水性が確保できれば、コーキング材は不要である。底板８の形状は、図４に示すように、長方形の板状に限られず、楕円、円、陸上トラック型の板材でも構わない。
【００２９】
（アンカーボルト用孔９、高さ調節ボルト用孔１２、ナット１３）
図４、図５（ａ）に示すように、脚４の底板８には、アンカーボルト用孔９が上下方向に貫通形成されている。また、脚４の底板８には、アンカーボルト用孔９に隣接して、高さ調節ボルト用孔１２が上下方向に貫通形成されており、脚４の底板８の上面には、高さ調節ボルト用孔１２の位置に合わせてナット１３が溶接等によって取り付けられている。
【００３０】
（高さ調節ボルト１４、水平調整）
図５（ｂ）に示すように、ナット１３には、保管庫１内から作業孔７を通じて高さ調節ボルト１４がネジ込まれ、その先端が設置面（コンクリート基礎等）５に押し付けられる。詳しくは、図３に示す保管庫１を設置面５に載置した後、図４に示す保管庫１の床板６の上面に図示しない水平器（水準器）を載せ、水平器によって床板６の水平を確認しながら、底板６の四隅に配置された各脚４の高さ調節ボルト１４（図５（ｂ）参照）のねじ込み量を調節し、底板６と設置面５とのクリアランスを調節する。
【００３１】
これにより、設置面（コンクリート基礎等）５に傾斜があったとしても、その傾斜方向に対する保管庫１の設置向きに拘わらず、保管庫１を水平に設置できる。また、設置面５に凹凸があっても保管庫１を水平に設置できる。なお、高さ調節ボルト１４の先端で設置面（コンクリート基礎等）５が削られてしまう場合には、市販の水平出し専用のボルトを使用することで対応できる。
【００３２】
（シム板１５）
図５（ｂ）、図５（ｃ）に示すように、高さ調節ボルト１４の先端が設置面５に押し付けられることで生じた脚４の底板８と設置面５との隙間には、シム板１５が挿入される。シム板１５によって保管庫１の重量を支持できるため、高さ調節ボルト１４に加わる保管庫１の重量を軽減できる。シム板１５は、厚さが異なったものを複数種類用いてもよく、同じ厚さのものを重ねて用いてもよい。シム板１５は、脚４の底板８の四辺（周縁）を囲むように挿入することが好ましい。シム板１５による荷重支持面積が稼げるので重量を分散支持でき、設置面５に沿って流れる雨水等が高さ調節ボルト１４およびアンカーボルト１０（図６（ｅ）参照）に付着する事態を抑えられるからである。なお、コーキング材を塗布充填して止水するようにしてもよい。
【００３３】
（アンカーボルト１０）
高さ調節ボルト１４およびシム板１５によって保管庫１が水平調整された後、図５（ｃ）に示すように、アンカーボルト用孔９には、ドリル（電動ハンドドリル等）１７が保管庫１内から作業孔７を通じて差し込まれ、設置面（コンクリート基礎等）５にアンカーボルト１０（図６（ｄ）参照）の径に応じたアンカー孔１８が穿設される。その後、図６（ｄ）に示すように、アンカーボルト用孔１８には、アンカーボルト１０が保管庫１内から作業孔７を通じて差し込まれ、設置面５のアンカー孔１８に固定される。
【００３４】
アンカーボルト１０は、アンカー孔１８に差し込まれるアンカーロッド１０ａと、アンカーロッド１０ａの上面に一体的に設けられたネジ棒１０ｂと、ネジ棒１０ｂおよびアンカーロッド１０ａの内部に上下方向スライド自在に収容された打込ピン１０ｃとからなる。ネジ棒１０ｂにロッド状の打込治具１９の下面に形成された孔が差し込まれ、打込ピン１０ｃの頂部が打込治具１９の孔の天井面に当接した状態で、作業孔７から上方に突出した打込治具１９の頂部を保管庫１内にてハンマー２０で叩くことで、下降する打込ピン１０ｃによってアンカーロッド１０ａの下部のスリットが開かれ、アンカーロッド１０が設置面５に固定される。なお、アンカーロッド１０とアンカー孔１８との間に接着剤を介在させてもよい。
【００３５】
（固定ナット１１）
図６（ｅ）に示すように、設置面５に固定されたアンカーボルト１０のネジ棒１０ｂには、固定ナット１１が保管庫１内から作業孔７を通じてネジ込まれる。これにより、アンカーボルト１０に反力を取って固定ナット１１が底板８の上面に押し付けられ、底板８の下面がシム板１５を介して設置面５に押し付けられ、保管庫１が設置面５に固定される。最後に、作業孔７（作業孔７ｂ）に蓋板１６を嵌め込み、設置作業終了となる。
【００３６】
なお、シム板１５によって荷重支持がなされていれば、保管庫１の水平出調整を行った高さ調節ボルト１４は、ナット１３から取り外しても構わない。但し、底板８に形成された高さ調節用孔１２から雨水等が脚の内部に浸入する可能性を排除するため、ナット１３にネジ付きのキャップを装着することが好ましい。
【００３７】
（作用・効果）
図６（ｅ）に示すように、保管庫１の床板６に形成された作業孔７の位置に合わせて床板６の下面にパイプ状の脚４が取り付けられ、脚４の下部の開口に底板８が取り付けられ、底板８にアンカーボルト用孔９が形成され、アンカーボルト用孔９にアンカーボルト１０が保管庫１内から作業孔７を通じて差し込まれて設置面５に固定され、アンカーボルト１０に固定ナット１１が保管庫１内から作業孔７を通じてネジ込まれるので、アンカーボルト１０および固定ナット１１がパイプ状の脚４および脚４の底板８によって囲まれ、保管庫１の外部からアクセスできない状態となる。
【００３８】
このため、保管庫１を設置面５に固定するアンカーボルト１０を、保管庫１の外部から切断することはできず、且つ、アンカーボルト１０にネジ込まれた固定ナット１１を、保管庫１の外部から緩めることはできない。すなわち、保管庫１の外部から、保管庫１を設置面５から切り離すことはできない。よって、保管庫１の収容物（自動二輪車、自転車等）が保管庫１ごと盗まれる事態を回避でき、防犯性（セキュリティ性）が向上する。
【００３９】
図６（ｅ）に示すように、アンカーボルト１０および固定ナット１１が、パイプ状の脚４および脚４の底板８によって覆われた状態となるため、風雨から防護される。よって、アンカーボルト１０および固定ナット１１の腐食による劣化を回避でき、耐久性および耐候性が向上する。すなわち、錆びたアンカーボルト１０は、強風時、保管庫１が受ける風力によって破断する可能性が考えられるが、このような事態を回避でき、保管庫１を長期間に亘って安定して設置面５に固定できる。
【００４０】
図６（ｅ）に示すように、アンカーボルト１０に固定ナット１１をネジ込むことで、脚４の底板８がシム板１５を介して設置面５に押し付けられた状態となるため、地震時の横方向（水平方向）の揺れ力を脚４の底板８とシム板１５と設置面５との間の摩擦力で受けることができる。よって、地震時の横揺れによってアンカーボルト１０に加わる剪断力や曲げ応力を、図２に示す従来例と比べて軽減でき、アンカーボルト１０の破断を抑制でき、保管庫１を強い保持力で設置面５に固定できる。
【００４１】
図６（ｅ）に示すように、アンカーボルト１０および固定ナット１１は、保管庫１の床板６の下面に取り付けられたパイプ状の脚４の内部に収容された状態となるので、床板６の上面から突出することはない。よって、アンカーボルト１０および固定ナット１１によって保管物が傷付くことを回避でき、保管庫１内に入る作業員がアンカーボルト１０および固定ナット１１に躓く事態を回避できる。また、保管庫１内の実質的な有効床面積がアンカーボルト１０や固定ナット１１によって減少することは無い。また、蓋板１６を作業孔７（作業孔７ｂ）に装着することで、床板６の化粧板６ｂが全面的に平坦となり、見栄えも向上する。
【００４２】
図６（ｅ）に示すように、アンカーボルト１０および固定ナット１１を収容するパイプ状の脚４が、床板６に形成された作業孔７の位置に合わせて床板６の下面に取り付けられているので、アンカーボルト１０を設置面５に固定する作業、およびアンカーボルト１０に固定ナット１１をネジ込む作業を、床板６に形成された作業孔７を通じて保管庫１の内部からのみで行うことができる。よって、保管庫１の外部からの作業を併せて行う必要がある場合（図２の従来例ののナットｍ、ｎ参照）と比べると、保管庫１の設置作業を効率化でき、設置時間を短縮化できる。
【００４３】
以上、添付図面を参照しつつ本発明の好適な実施形態について説明したが、本発明は上述した実施形態に限定されないことは勿論であり、特許請求の範囲に記載された範疇における各種の変更例または修正例についても、本発明の技術的範囲に属することは言うまでもない。
【００４４】
例えば、本発明の保管庫１の概念には、自動二輪車等を保管する保管庫の他、一般的な保管庫、ショーケース（博物館用等）、物置、倉庫等が含まれる。また、作業孔７に嵌め込まれる蓋板１６は、床板６（化粧板６ｂ）の上面と面一にならなくても構わず、蓋板１６の周縁に段差を形成して作業孔７に嵌め込むようにしてもよい。
【産業上の利用可能性】
【００４５】
本発明は、防犯性に優れ、アンカーボルトの錆びを抑制でき、設置面への固定強度を高めた保管庫の脚構造および保管庫の固定方法に利用できる。
【符号の説明】
【００４６】
１  保管庫
４  脚
５  設置面
６  床板
７  作業孔
８  底板
９  アンカーボルト用孔
１０  アンカーボルト
１１  固定ナット
１２  高さ調節ボルト用孔
１３  ナット
１４  高さ調節ボルト
１５  シム板
【図１】
2019203266.tif 000003
【図２】
2019203266.tif 000004
【図３】
2019203266.tif 000005
【図４】
2019203266.tif 000006
【図５】
2019203266.tif 000007
【図６】
2019203266.tif 000008